(57)【特許請求の範囲】
【請求項１】
合成樹脂材からなる取付筒の挿孔にスライド管を上下の摺動と高さの位置決め自在に貫挿し、スライド管の上端にはスライド管内を挿通するホースと接続したシャワーヘッドを引出し自在に支持するホルダーを装着したシャワー装置であって、前記取付筒を傾斜した天板の取付孔に貫挿し、天板の下部からスペーサーを介して固定ナットを取付筒に締結することによりシャワー装置を垂直方向に取付けるシャワー装置の取付構造において、前記スペーサーは、天板の取付孔周縁に密着する傾斜面が上面に形成され且つ天板の取付孔周縁と固定ナットとの間に装着され、上下両方又は一方に緩衝材を介在させたことを特徴とするシャワー装置の取付構造。
【発明の詳細な説明】
【０００１】
【発明の属する技術分野】
本発明はシャワーヘッドを高さ調節自在に支持するシャワー装置に係り、詳しくはシャワー装置を洗面化粧台又は流し台の傾斜した天板に取付ける構造に関するものである。
【０００２】
【従来の技術】
従来、シャワー装置を取付ける洗面化粧台又は流し台の天板を前方に設けた洗面ボウルに向かって下方へ傾斜させることで、天板上にふりかかった水を洗面ボウルへ流れ落ちるようにしたものが公知であるが、このシャワー装置の取付構造は図３に示す通りである。この図３について簡単に説明すると、傾斜した天板３１の取付孔３２に貫挿する取付筒３３は、内部縦方向に貫通して形成した挿孔３４にホース３６を収容したスライド管３５を上下の摺動と高さの位置決め自在に貫挿し、スライド管３５の上部にはホース３６と接続するシャワーヘッド３７を引出し自在に支持するホルダー３８を取付け、天板３１の下部から取付孔３２周縁に合わせて上部を傾斜して切り欠いた円筒状で合成樹脂材からなるスペーサー３９を介して金属製の固定ナット４０を合成樹脂材からなる取付筒３３の雄ねじ部３３ａに締結することで、取付筒３３を垂直方向となるように補正して固定し、ホルダー３８を取付筒３３から上下垂直方向に引上げるようにしたものである。
【０００３】
上記のものは取付筒及びスペーサーは、成型が容易で生産性に優れコスト的に有利な合成樹脂材からなるが、シャワー装置を傾斜した天板に取付ける際に金属製の固定ナットを工具で強く締結しすぎると樹脂製のスペーサーに強い応力が伝達して割れてしまったり、スペーサーの上部は傾斜して形成されているのでこの応力は縦方向と横方向へ分散し、スペーサーの変形により取付筒を軸中心方向へ収縮してスライド管の外周を押圧し、スライド管の上下への摺動がスムーズにできなくなってしまったり、摺動時に異音が発生するという欠点があった。
【０００４】
また、スペーサーが変形しないように固定ナットを緩めに締結すると、シャワー装置は強固に固定されずがたつくという問題があり、作業性の悪いものであった。
【０００５】
【発明が解決しようとする課題】
本発明が解決しようとする課題は、シャワー装置を傾斜した天板に取付ける場合の固定ナットの締結作業を確実にし、スライド管の上下方向への摺動を支障なく軽快に行えるようにすることである。
【０００６】
【課題を解決するための手段】
本発明は、合成樹脂材からなる取付筒の挿孔にスライド管を上下の摺動と高さの位置決め自在に貫挿し、スライド管の上端にはスライド管内を挿通するホースと接続したシャワーヘッドを引出し自在に支持するホルダーを装着したシャワー装置であって、前記取付筒を傾斜した天板の取付孔に貫挿し、天板の下部からスペーサーを介して固定ナットを取付筒に締結することによりシャワー装置を垂直方向に取付けるシャワー装置の取付構造において、前記スペーサーは、天板の取付孔周縁に密着する傾斜面が上面に形成され且つ天板の取付孔周縁と固定ナットとの間に装着され、上下両方又は一方に緩衝材を介在させたものである。
【０００７】
【発明の実施の形態】
以下、本発明の実施の形態を図に基づいて詳細に説明する。
本発明のシャワー装置Ａは図１及び図２に示すように、洗面化粧台又は流し台等の天板Ｂに取付けて使用するもので、取付筒１、スライド管２、ホルダー３及びシャワーヘッド４を備えている。
【０００８】
取付筒１は合成樹脂材からなる縦長の円筒状で、内部縦方向に後述するスライド管２を上下の摺動及び回動自在に貫挿する挿孔５を貫通して形成し、上下両端の外周にそれぞれ雄ねじ部６、６ａを刻設し、前記挿孔５の下部から挿孔５よりやや大径に開口した開口部７の内周に雌ねじ部８を刻設し、上部の雄ねじ部６には下方を傾斜面９ａとした固定金具９を上部から螺着してこの固定金具９の周囲を覆うカバー１０を装着し、この取付筒１を前方へ向かって下方へ傾斜した天板Ｂの取付孔Ｃに上方から貫挿し、天板Ｂの下部からスペーサー１１及び緩衝材１２、１２ａを貫挿した後に固定ナット１３を下部の雄ねじ部６ａに螺着することで、傾斜した天板Ｂに対し垂直に固定している。
【０００９】
前記スペーサー１１は合成樹脂材からなり、取付筒１の下部周面を覆う円筒状で上面には緩衝材１２を介して傾斜した天板Ｂの取付孔Ｃ周縁に密着する傾斜面１１ａを形成している。スペーサー１１の上面をこのような傾斜面１１ａとすることで、他方の下端に形成した平行面１１ｂに対し固定ナット１３を向かい合わせた時に取付筒１と固定ナット１３を同一垂直線上にすることができ、天板Ｂの傾斜を補正して取付筒１を天板Ｂの下方から垂直方向に取付可能にしている。
【００１０】
リング状の緩衝材１２、１２ａは例えばパッキン等のゴム或いは合成樹脂材で形成した弾性を有するものからなり、天板Ｂの取付孔Ｃ周縁とスペーサー１１の傾斜面１１ａの間、及びスペーサー１１の平行面１１ｂと固定ナット１３の間の両方又は一方に介在させ、この緩衝材１２、１２ａを介在させたことにより固定ナット１３を工具で強固に締結した場合の過剰な締結力を緩衝材１２、１２ａが変形して吸収し、スペーサー１１には応力を伝達せず、スペーサー１１を破損させたり変形させることなく取付筒１を天板Ｂに固定するようにしたものである。なお、緩衝材はパッキン以外でも弾性を有するものであればどのようなものでもよい。
【００１１】
円柱状のスライド管２は取付筒１の挿孔５に上下の摺動及び回動自在に貫挿し、中空状の内部にシャワー装置Ａと併設して取付けた混合水栓（図示省略）とシャワーヘッド４を接続するホース１６を挿通させる通し孔１４を有し、上端にホース１６と連通するシャワーヘッド４を引出し自在に支持するホルダー３を装着すると共に、下端には抜け止め用のナット１７を取付け、ナット１７の上部外周面に環状の係合溝１５を形成している。
【００１２】
緊締筒体１８は合成樹脂材によるもので、上部外周に刻設した雄ねじ部１９を前記取付筒１下部の雌ねじ部８に螺着し、下部に突状部２１を有した緊締部２０を設けると共に、この緊締部２０の下部外周に設けた環状溝２２に環状にしたスプリング２３を巻装することにより、スライド管２を引上げた際に前記突条部２１をスライド管２の係合溝１５に弾力的に締付けるように対応させてある。
【００１３】
このように構成したシャワー装置Ａを図１の定位置から洗髪等を行うのに必要な高さに調節するには、ホルダー３を手で握りながら上方へ引上げると、図２に示すようにホルダー３の下部で結合しているスライド管２が上昇してシャワーヘッド４の位置を移動させることができる。
【００１４】
この際緊締筒体１８の緊締部２０は、スライド管２の上昇による摩擦力が発生すると外方へ拡開しスプリング２３を引き伸ばすので、スライド管２を円滑に上昇させることができる。
【００１５】
次にスライド管２が上昇した位置で停止すると、緊締部２０が収縮方向に作用して突条部２１をもってスライド管２の係合溝１５を圧迫し、同時にスプリング２３が収縮するので、スプリング２３の収縮方向への弾性圧力によりスライド管２を手を離してもそのままの高さで安定的に保持することができる。
【００１６】
【発明の効果】
本発明では、合成樹脂材からなる取付筒の挿孔にスライド管を上下の摺動と高さの位置決め自在に貫挿し、スライド管の上端にはスライド管内を挿通するホースと接続したシャワーヘッドを引出し自在に支持するホルダーを装着したシャワー装置であって、前記取付筒を傾斜した天板の取付孔に貫挿し、天板の下部からスペーサーを介して固定ナットを取付筒に締結することによりシャワー装置を垂直方向に取付けるシャワー装置の取付構造において、前記スペーサーは、天板の取付孔周縁に密着する傾斜面が上面に形成され且つ天板の取付孔周縁と固定ナットとの間に装着され、上下両方又は一方に緩衝材を介在させたので、シャワー装置を傾斜した天板に取付ける際に固定ナットを工具で強固に締結しても、過剰な応力は緩衝材で吸収されてスペーサーまで伝達せず取付筒を変形させることがないので、シャワーヘッドの高さ位置を調節するためのスライド管の上下への摺動を軽快に行うことができる。
【００１７】
また、従来のシャワー装置に比較してスペーサーの上下両方又は一方に緩衝材を介在させるだけの簡単な変更で、シャワー装置の取付作業及び操作性を大幅に向上させることができる。
【図面の簡単な説明】
【図１】本発明のシャワー装置を傾斜した天板に取付けた状態の要部縦断面図である。
【図２】図１のシャワー装置のホルダーを引上げた状態の説明図である。
【図３】従来技術の説明図である。
【符号の説明】
１            取付筒
２            スライド管
３            ホルダー
４            シャワーヘッド
５            挿孔
１１          スペーサー
１２、１２ａ  緩衝材
１３          固定ナット
１６          ホース
Ａ            シャワー装置
Ｂ            天板
Ｃ            取付孔
【図１】
0003662414.tif 000002
【図２】
0003662414.tif 000003
【図３】
0003662414.tif 000004